(57)【要約】【課題】  コネクタ内に収容可能なコンタクト数を従来の２倍に増加させてフレキシブル基板の接触部の数を２倍にでき、かつ操作性の良いフレキシブル基板用コネクタを提供すること。【解決手段】  ハウジング１０、複数のコンタクト５０及びカバー３０を具備したフレキシブル基板用コネクタにおいて、複数のコンタクト５０を、その接触部５５がハウジング１０の挿入凹部１１の対向する内壁面に沿って２列になるように配置し、カバー３０の押圧部３３を挿入凹部１１に挿入することによって、カバー３０と挿入凹部１１間に案内されたＦＰＣ７０を押圧変形して挟持するとともに、ＦＰＣ７０の接触部を対応するコンタクト５０の接触部５５に接触させる。【選択図】  図１
2006059724.tif 000002
【特許請求の範囲】
【請求項１】
挿入凹部（１１）が形成されたハウジング（１０）と、ハウジング（１０）に保持されて接触部が挿入凹部（１１）内に臨設する複数のコンタクト（５０）と、挿入凹部（１１）へ挿抜可能な押圧部（３３）を有するカバー（３０）とを具備したフレキシブル基板用コネクタであって、複数のコンタクト（５０）は、その接触部が挿入凹部（１１）の対向する内壁面に沿って２列に配置され、押圧部（３３）を挿入凹部（１１）に挿入することによってカバー（３０）、挿入凹部（１１）間に案内されたフレキシブル基板（７０，７０a）を押圧変形して挟持するとともに、フレキシブル基板（７０，７０a）の接触部を対応するコンタクト（５０）の接触部と接触させることを特徴とするフレキシブル基板用コネクタ。
【請求項２】
フレキシブル基板（７０，７０a）には、カバー（３０）、挿入凹部（１１）間に案内されたときに挿入凹部（１１）の両側表面部分と略重なり合う形状に形成された位置決め用の突片（７５）（７５）が形成され、ハウジング（１０）には、突片（７５）（７５）の端縁と係合してフレキシブル基板（７０，７０a）の位置決めをする位置決め部が形成されていることを特徴とする請求項１記載のフレキシブル基板用コネクタ。
【請求項３】
位置決め部は、挿入によって案内されたフレキシブル基板（７０，７０a）の突片（７５）（７５）の先端側端縁に当接して挿入をストップさせる挿入ストッパー（２１）（２１）と、突片（７５）（７５）の後端側端縁に係合して仮の位置決めをする係合突起（２２）（２２）とからなることを特徴とする請求項２記載のフレキシブル基板用コネクタ。
【請求項４】
カバー（３０）には、押圧部（３３）の両側に位置して形成され、押圧部（３３）の挿入凹部（１１）への挿入時に押圧部（３３）とともに突片（７５）（７５）の表面と係合する係合爪部（３５，３５）（３５，３５）が形成されていることを特徴とする請求項２又は３記載のフレキシブル基板用コネクタ。
【請求項５】
カバー（３０）には、押圧部（３３）の挿入凹部（１１）への挿抜時にハウジング（１０）の外壁面と対面する腕部（３６）（３６）が形成され、ハウジング（１０）の外壁面と腕部（３６）（３６）の対向面には押圧部（３３）の挿抜時に互いに係合して抜け止めをするフック部（１７，１７）（３７，３７）が形成され、ハウジング（１０）の外壁面と腕部（３６）（３６）の対向面の少なくとも一方の面には、押圧部（３３）の挿入凹部（１１）に対する引き出し時と挿入時の位置決めをする位置決め突起（１８）（１８）が形成されていることを特徴とする請求項１、２、３又は４記載のフレキシブル基板用コネクタ。
【発明の詳細な説明】
【技術分野】
【０００１】
本発明は、フレキシブルプリント配線基板（以下ＦＰＣという。）やフレキシブルフラットケーブル（以下ＦＦＣという。）等のフレキシブル基板と、プリント配線基板等とを電気的に接続するためのフレキシブル基板用コネクタに関するものである。
【背景技術】
【０００２】
従来、この種のフレキシブル基板用コネクタには、フレキシブル基板の挿入時にはコンタクトからの接触圧を受けずに低い挿入力で挿入でき、フレキシブル基板の挿入後には所定の接触圧でコンタクトと接触して安定した電気的接続が得られるゼロ・インサーション・フォース（以下ＺＩＦという。）構造のものが知られている。
【０００３】
例えば、図１２に示すように、複数のコンタクト１０１を収容保持したハウジング１０３と、このハウジング１０３内へ摺動可能なスライダ１０５と、補強金具（据え付け具）１０７、１０７を介してハウジング１０３に回動可能に支持された操作レバー１０９とを具備し、操作レバー１０９を反時計回り方向に回動し、同図（a）に示すようにスライダ１０５を左方向へ移動させて引き出した状態にするとともに前面側を水平面Ｈより上へ移動させる。そして、ＦＰＣ１１１を低い挿入力で挿入した後に操作レバー１０９を時計回り方向に回動してスライダ１０５を右方向へ移動させ、ＦＰＣ１１１を所定位置まで移動させてその接触部をコンタクト１０１の接触部に所定の弾性力で接触させ、ロック状態としていた（例えば特許文献１参照）。
【特許文献１】特開２００３−３１７８３８
【発明の開示】
【発明が解決しようとする課題】
【０００４】
しかしながら、図１２に示した公知例では、ハウジング１０３に収容保持される複数のコンタクト１０１が一定方向（図１２では、紙面を貫く前後方向）に沿って一列に配置されていただけなので、コネクタ内に収容するコンタクト１０１の数を増やそうとしても限界があり、接続対象のＦＰＣ１１１の接触部の数を増やすことが難しいという問題点があった。
また、操作レバー１０９を反時計回り方向に回動してスライダ１０５を引き出した状態にしてＦＰＣ１１１を挿入し、ＦＰＣ１１１の挿入後操作レバー１０９を時計回り方向に回動してロック状態としていたので、操作が煩雑になるという問題点があった。
【０００５】
本発明は上述の問題点に鑑みなされたもので、コネクタ内に収容可能なコンタクトの数を２倍に増加させてフレキシブル基板の接触部の数を２倍にすることができるとともに、操作性を良くすることのできるフレキシブル基板用コネクタを提供することを目的とするものである。  
【課題を解決するための手段】
【０００６】
請求項１記載の発明は、挿入凹部が形成されたハウジングと、前記ハウジングに保持されて接触部が前記挿入凹部内に臨設する複数のコンタクトと、前記挿入凹部へ挿抜可能な押圧部を有するカバーとを具備したフレキシブル基板用コネクタであって、前記複数のコンタクトは、その接触部が前記挿入凹部の対向する内壁面に沿って２列には位置され、前記押圧部を前記挿入凹部に挿入することによって、前記カバーと前記挿入凹部の間に案内されたフレキシブル基板を押圧変形して挟持するとともに、前記フレキシブル基板の接触部を対応するコンタクトの接触部と接触させることを特徴とする。
【０００７】
請求項２記載の発明は、請求項１記載の発明において、フレキシブル基板には、カバーと挿入凹部の間に案内されたときに前記挿入凹部の両側表面部分と略重なり合う形状に形成された位置決め用の突片が形成され、ハウジングには、前記突片の端縁と係合して前記フレキシブル基板の位置決めをする位置決め部が形成されていることを特徴とする。
【０００８】
請求項３記載の発明は、請求項２記載の発明において、位置決め部は、挿入によって案内されたフレキシブル基板の突片の先端側端縁に当接して挿入をストップさせる挿入ストッパーと、前記突片の後端側端縁に係合して仮の位置決めをする係合突起とからなることを特徴とする。
【０００９】
請求項４記載の発明は、請求項２又は３記載の発明において、カバーには、押圧部の両側に位置して形成され、前記押圧部の挿入凹部への挿入時に前記押圧部とともに突片の表面と係合す係合爪部が形成されていることを特徴とする。
【００１０】
請求項５記載の発明は、請求項１、２、３又は４記載の発明において、カバーには、押圧部の挿入凹部への挿抜時にハウジングの外壁面と対面する腕部が形成され、前記ハウジングの外壁面と前記腕部の対向面には、前記押圧部の挿抜時に互いに係合して抜け止めをするフック部が形成され、前記ハウジングの外壁面と前記腕部の対向面の少なくとも一方の面には、前記押圧部の前記挿入凹部に対する引き出し時と挿入時の位置決めをする位置決め突起が形成されていることを特徴とする。
【発明の効果】
【００１１】
請求項１記載の発明は、ハウジング、複数のコンタクト及びカバーを具備したフレキシブル基板用コネクタにおいて、複数のコンタクトをその接触部が挿入凹部の対向する内壁面に沿って２列となるように配置し、押圧部を挿入凹部に挿入することによってカバー、挿入凹部間に案内されたフレキシブル基板を押圧変形して挟持するとともに、フレキシブル基板の接触部を対応するコンタクトの接触部に接触させる構成としたので、コネクタ内に収容可能なコンタクトの数を２倍に増加させてフレキシブル基板の接触部（例えば接触パッド）の数を２倍にすることができるとともに、回転操作を不要として操作性を良くすることができる。
【００１２】
請求項２記載の発明は、請求項１記載の発明において、フレキシブル基板に突片を形成し、ハウジングに位置決め部を形成し、突片を、フレキシブル基板がカバー、挿入凹部間に案内されたときに挿入凹部の両側表面部分と略重なり合う形状に形成し、位置決め部を突片の端縁と係合してフレキシブル基板の位置決めをする構成としたので、ハウジングに対するフレキシブル基板の位置決めを容易にすることができる。
【００１３】
請求項３記載の発明は、請求項２記載の発明において、位置決め部を挿入ストッパーと係合突起で形成し、挿入ストッパーを突片の先端側端縁に当接させてフレキシブル基板の挿入をストップさせ、係合突起を突片の後端側に係合して仮の位置決めをする構成としたので、ハウジングに対するフレキシブル基板の位置決めを容易かつ確実にすることができる。
【００１４】
請求項４記載の発明は、請求項２又は３記載の発明において、カバーに押圧部の両側に位置する係合爪部を形成し、この係合爪部が、押圧部の挿入凹部への挿入時に押圧部とともに突片の表面と係合する構成としたので、押圧部の挿入凹部への挿入でカバー、挿入凹部間に挟持されたフレキシブル基板の抜け止めと、フレキシブル基板とコンタクトの対応する接触部の位置決めを確実にすることができる。
【００１５】
請求項５記載の発明は、請求項１、２、３又は４記載の発明において、カバー の両側に腕部を形成し、ハウジングの外壁面と腕部の対向面にフック部を形成し、ハウジングの外壁面と腕部の対向面の少なくとも一方の面に位置決め突起を形成し、押圧部の挿抜時における抜け止めと、押圧部の挿入凹部に対する引き出し時と挿入時における位置決めとをする構成としたので、フレキシブル基板をカバー、挿入凹部間に案内する操作と、カバーの挿入凹部への挿抜操作を容易にして操作性を向上させることができる。 
【実施例】
【００１６】
図１〜図３は本発明によるフレキシブル基板用コネクタの一実施例を示すもので、これらの図において、１０はハウジング、３０はカバー、５０はコンタクト、７０はフレキシブル基板の一例としてのＦＰＣである。
【００１７】
ハウジング１０は絶縁性合成樹脂で成形されたもので、図４、図５にも示すように、上面を開口して挿入凹部１１としたほぼ横長箱形状に形成されている。
ハウジング１０の長手方向に沿った両側壁１２、１２には、複数（例えば９０〜１００個）のコンタクト挿入孔１３が所定ピッチ（例えば１．２５ｍｍ）でほぼ平行に２列（例えば各列毎に４５〜５０個）に形成されている。
コンタクト挿入孔１３は、ハウジング１０の両側壁１２、１２において上下に貫通するとともに挿入凹部１１内に向かって開口し、その一部にはコンタクト５０を係止するための係止溝１４、１４が形成されている。
【００１８】
ハウジング１０の短手方向に沿った両側壁１５、１５の内側部分であって、挿入凹部１１の両側に対応する部分には、係合凹部１６、１６が形成され、両側壁１５、１５の外壁面には、フック部１７、１７と位置決め突起１８、１８が形成されている。
フック部１７、１７は、両側壁１５、１５の上端部から外側へフック状に突出して形成されるとともに、平面視で上側（図４（ａ）で上側）に位置して形成され、位置決め突起１８、１８は両側壁１５、１５の中央部から外側へ膨出して形成されるとともに、平面視で下側（図４（ａ）で下側）に位置して形成されている。
【００１９】
両側壁１２、１２の両端部は両側壁１５、１５の壁面より外側に突出して、両側壁１５、１５とで、コの字状とコの字の左右を逆にした形状の係合凹部１９、１９を形成している。
両側壁１２、１２の両側上部であって、係合凹部１６、１６、１９、１９の上部空間と対面する部分には、挿入ストッパー２１、２１と係合突起２２、２２が突設され、挿入ストッパー２１、２１と係合突起２２、２２は位置決め部を形成している。挿入ストッパー２１、２１は平面視で上側（図４（ａ）で上側）に位置して形成されるとともに突出長が係合突起２２、２２より長く形成され、係合突起２２、２２は平面視で、下側に位置して形成されている。
【００２０】
カバー３０は、絶縁性合成樹脂で成形され、ハウジング１０の挿入凹部１１に係合して挿入凹部１１の開口部を覆うことができるように形成され、図６、図７にも示すように、カバー本体３１、取付側片３２、３２、押圧部３３、係合爪部３５，３５、３５，３５及び腕部３６、３６を具備している。
カバー本体３１は、挿入凹部１１の大部分を覆うことができる横長矩形板状に形成されている。
取付側片３２、３２  は、カバー本体３１の長手方向の両端部から外側へ延設され、ハウジング１０の係合凹部１６、１６、１９、１９の開口部を覆うことができる矩形板状に形成されている。
押圧部３３は、カバー本体３１と、その両側の取付側片３２、３２  の一部とに跨って下面側から下方へ突設され、ハウジング１０の挿入凹部１１に係合可能に形成されている。
係合爪部３５，３５は、取付側片３２、３２  の下面側であって押圧部３３の両側に位置する部分から下方に突設され、係合凹部１６、１６の対応部分に係合可能に形成されている。
腕部３６、３６は、取付側片３２、３２の下面側から下方へ突設して係合凹部１９、１９に係合可能に形成され、係合凹部１９、１９との係合時にフック部１７、１７と対向する部分が、位置決め突起１８、１８と対向する部分より肉薄に形成され、先端部には内側へ突出するフック部３７、３７が設けられている。
【００２１】
コンタクト５０は、導電性金属板の打ち抜き、折り曲げ加工等によって図１〜図３中に示すように形成されたもので、縦長細帯状に形成された取付片部５１と、この取付片部５１の一端側から内側へ折り返すように延設された可動片部５２と、取付片部５１の他端側から外側へほぼ直角に折り曲げて延設された接続片部５３とを具備している。
可動片部５２の先端部には接触部５５が形成され、取付片部５１の両側部には 係止突起５６、５６が突設されている。
【００２２】
ＦＰＣ７０は、図８に示すように、ポリエステルフイルムなどのベース材で形成された基板本体７１と、この基板本体７１の上面側先端部に形成された複数（例えば１列が４５〜５０個で２列で９０〜１００個）の接触部（導電パット）７２と、各接触部７２に接続された配線パターン７３とを具備している。
基板本体７１の先端両側には、コネクタへの挿入時にハウジング１０の係合凹部１６、１６の上部に係合可能な突片７５、７５が突設されている。
複数の接触部７２〜７２は、突片７５、７５の中心線７６を挟んで対称な位置に形成されている。
【００２３】
つぎに、図９を併用して組立方法について説明する。
（１）ハウジング１０のコンタクト挿入孔１３〜１３に底面側からコンタクト５０〜５０を挿入することによってコンタクト５０〜５０をハウジング１０内に組み込む。
このとき、取付片部５１の係止突起５６、５６が、コンタクト挿入孔１３への挿入時に 係止溝１４、１４に圧入、係止され、可動片部５２の先端部が挿入凹部１１内に突出して接触部５５が挿入凹部１１内に位置するとともに、接続片部５３がハウジング１０の外側に突出する。
【００２４】
（２）ついで、カバー３０の腕部３６、３６をハウジング１０の係合凹部１９、１９に係合するとともに、フック部３７、３７をハウジング１０のフック部１７、１７と位置決め突起１８、１８の間に係合することにより、図９（a）に示すようなＦＰＣ７０の挿入可能な状態となる。
【００２５】
（３）図９（a） のＦＰＣ７０が挿入されていない状態において、カバー３０を下方へ押し下げて押圧部３３を挿入凹部１１に係合するとともに、腕部３６、３６のフック部３７、３７をハウジング１０の位置決め突起１８、１８の下側に係合することにより、図２、図３に示すようなカバー３０の収納状態となる。 
【００２６】
つぎに、前記実施例の作用を、図８及び図９を併用して説明する。
（１）図２及び図３のカバー３０の収納状態において、カバー３０を上部へ引き上げると、腕部３６、３６のフック部３７、３７がハウジング１０のフック部１７、１７と位置決め突起１８、１８の間に係合し、図９（a）に示すようなＦＰＣ７０の挿入可能な状態となる。
【００２７】
（２）ついで、ＦＰＣ７０が所定方向（図８では下方向、図９（a）では左方向）からハウジング１０とカバー３０の間に案内される。
このとき、ＦＰＣ７０の突片７５、７５がハウジング１０の挿入ストッパー２１、２１及び係合突起２２、２２によって係合凹部１６、１６の上部に位置決めされ、平面視においてＦＰＣ７０の中心線７６がハウジング１０の長手方向に沿った中心線２６とほぼ一致するように位置決めされる。すなわち、挿入ストッパー２１、２１が突片７５、７５の先端側に当接してそれ以上の挿入を阻止し、係合突起２２、２２が突片７５、７５の後端側に当接してＦＰＣ７０の抜けを防止する。
【００２８】
（３）ついで、カバー３０を下方へ押し下げて押圧部３３を挿入凹部１１に係合するとともに、腕部３６、３６のフック部３７、３７をハウジング１０の位置決め突起１８、１８の下側に係合することにより、図９（ｂ）、図１０に示すような接続状態となる。  
この接続状態においては、ＦＰＣ７０が、押圧部３３によって略Ｕ字状に押圧折曲され、その接触部７２〜７２が対応するコンタクト５０の接触部５５に弾性接触する。
また、カバー３０のハウジング１０への押し下げ係合時において、取付側片３２、３２の係合爪部３５，３５が押圧部３３の両端部とともにＦＰＣ７０の突片７５、７５に係合し、突片７５、７５を係合凹部１６、１６内へ押し下げ、係合完了時には図１０に示すような突片７５、７５を略Ｕ字状に折曲した状態とするので、ＦＰＣ７０の接触部７２〜７２と対応するコンタクト５０〜５０の接触部５５〜５５との接触位置を正確に合わせることができる。
【００２９】
前記実施例では、ハウジング１０側では複数のコンタクト５０がハウジング１０の中心線２６に対して対称な位置に２列に形成され、これに対応してＦＰＣ７０側では複数の接触部７２がＦＰＣ７０の中心線７６に対して対称な位置に２列に形成されている場合について説明したが、本発明はこれに限るものではない。
例えば、図１１に示すように、ハウジング１０ａ側では複数のコンタクト５０aが中心線２６ａに対して対称な２列ではあるが、一方の列が他方の列に対して１／２ピッチずらした位置に形成され、これに対応してＦＰＣ７０a側では複数の接触部７２aがＦＰＣ７０の中心線７６aに対して対称な２列ではあるが一方の列に対して１／２ピッチずらした位置に形成されている場合などについても利用することができる。
【００３０】
前記実施例では、ＦＰＣ７０については配線パターン７３〜７３が表面（接触部が形成された面）と裏面に分離して形成された場合、ＦＰＣ７０aについては配線パターン７３a〜７３aの全てが表面に形成された場合について説明したが、本発明はこれに限るものでなく、ＦＰＣ７０について配線パターン７３〜７３が表面又は裏面の一方に形成された場合、ＦＰＣ７０aについては配線パターン７３a〜７３aが表面と裏面に分離して形成された場合、又は全てが裏面に形成された場合についても利用することができる。 
【００３１】
前記実施例では、ハウジング１０の外壁面とカバー３０の腕部３６、３６に互いに係合可能なフック部１７，１７、３７，３７を形成しハウジング１０の外壁面とカバー３０
の対向面の少なくとも一方に位置決め突起１８を形成し、ＦＰＣ７０をカバー３０と挿入凹部１１の間に案内する操作を容易にするとともにカバー３０の挿入凹部１１への挿抜操作を容易にした場合について説明したが、本発明はこれに限るものでなく、フック部の形成を省略した場合、及び／または位置決め突起を省略した場合についても利用することができる。
【００３２】
前記実施例では、カバー３０に係合爪部３５，３５を形成し、押圧部３３の挿入凹部１１への挿入時に押圧部３３とともに突片７５、７５と係合させることによって、ＦＰＣ７０の抜け止めと、コンタクト５０とＦＰＣ７０の接触部の位置決めをより確実にした場合について説明したが、本発明はこれに限るものでなく、係合爪部３５，３５を省略した場合についても利用することができる。     
【００３３】
前記実施例では、位置決め部を挿入ストッパー２１、２１と係合突起２２、２２で形成し、挿入ストッパー２１、２１でＦＰＣ７０の挿入をストップさせ、係合突起２２、２２で仮位置決めすることによって、ＦＰＣ７０の位置決めを容易かつ確実にした場合について説明したが、本発明はこれに限るものでなく、挿入ストッパー２１、２１と係合突起２２、２２以外で位置決め部を形成した場合についても利用することができる。
【図面の簡単な説明】
【００３４】
【図１】本発明によるフレキシブル基板用コネクタの一実施例を示す要部分解斜視図である。
【図２】本発明によるフレキシブル基板用コネクタの一実施例  （図１の例を含む）を示すもので、（a）は一部を省略し、一部を切り欠いて表した平面図、（ｂ）は一部を省略し、一部を切り欠いて表した正面図ある。
【図３】図２の底面図等を示すもので、（a）は図２（a）の底面図、（ｂ）は図２（ｂ）の右側面図、（ｃ）は図２（a）のＡ−Ａ線断面図である。
【図４】図１〜図３中のハウジング１０を示す図で、（a）は一部を省略して表した平面図、（ｂ）は一部を省略し、一部を切り欠いて表したは正面図である。
【図５】図４の底面図等を示すもので、（a）は図４（a）の底面図、（ｂ）は図４（ｂ）の右側面図、（ｃ）は図４（a）のＡ−Ａ線断面図である。
【図６】図１〜図３中のカバー３０を示すもので、（a）は一部を省略して表した平面図、（ｂ）は一部を省略し、一部を切り欠いて表したは正面図である。
【図７】図６の底面図等を表すもので、（a）は図６（a）の底面図、（ｂ）は図６（ｂ）の右側面図、（ｃ）は図６（a）のＡ−Ａ線断面図である。
【図８】本発明の作用を説明するもので、ハウジング１０とカバー３０の間にＦＰＣ７０を案内する状態を示す平面図である。
【図９】本発明の作用を説明するもので、（a）はハウジング１０とカバー３０の間にＦＰＣ７０を案内した状態を示す断面図、（ｂ）はカバー３０の押圧部３３によってＦＰＣ７０とコンタクト５０の接触部を弾性接触させた状態を示す断面図である。
【図１０】本発明の作用を説明するもので、カバー３０の押圧部３３及び係合爪部３５，３５によってＦＰＣ７０の突片７５、７５が押圧折曲されて、ハウジング１０の係合凹部１６、１６内の所定位置に位置決めされた状態を示す部分斜視図である。
【図１１】他の実施例における作用を説明する平面図である。
【図１２】従来例を示すもので、（a）はロック前を示す断面図、（ｂ）はロック後を示す断面図である。
【符号の説明】
【００３５】
１０、１０a…ハウジング       
１１…挿入凹部  
１６…係合凹部
１７…フック部
１８…位置決め突起
１９…係合凹部
２１…挿入ストッパー  
２２…係合突起
３０…カバー  
３３…押圧部
３５…係合爪部  
３７…フック部
５０、５０a…コンタクト           
５５…接触部
７０、７０a…ＦＰＣ（フレキシブル基板の一例）        
７２…接触部
７３、７３a…配線パターン
７５…突片
【図１】
2006059724.tif 000003
【図２】
2006059724.tif 000004
【図３】
2006059724.tif 000005
【図４】
2006059724.tif 000006
【図５】
2006059724.tif 000007
【図６】
2006059724.tif 000008
【図７】
2006059724.tif 000009
【図８】
2006059724.tif 000010
【図９】
2006059724.tif 000011
【図１０】
2006059724.tif 000012
【図１１】
2006059724.tif 000013
【図１２】
2006059724.tif 000014